(57)【要約】      （修正有）【課題】寄生抵抗をより小さくできる可変抵抗回路を提供する。【解決手段】抵抗群２１〜２４は、端子Ａと端子Ｂとの間で直列接続する。トリミング回路５１〜５４は、抵抗群２１〜２４にそれぞれ並列接続する。抵抗１１〜１８は、端子Ａと端子Ｂとの間で直列接続する。トリミング素子４１〜４８は、抵抗１１〜１８にそれぞれ並列接続する。各トリミング素子は、例えば、ヒューズやＭＯＳトランジスタである。この時、所定のヒューズが切断されることにより、可変抵抗回路１０の抵抗値が変更する。また、所定のＭＯＳトランジスタがオン・オフすることにより、可変抵抗回路１０の抵抗値が変更する。このようにすると、トリミング回路５１が抵抗１１または抵抗１２でなくて直列接続する抵抗１１〜１２を有する抵抗群２１に並列接続するので、抵抗群２１に関するトリミング素子による寄生抵抗が小さくなる。【選択図】図１
2010166109.tif 000002
【特許請求の範囲】
【請求項１】
抵抗値を可変できる可変抵抗回路において、
第一抵抗群は直列接続する複数個の抵抗を有し、直列接続する複数個の前記第一抵抗群を有する第二抵抗群と、
複数個の前記抵抗にそれぞれ並列接続する複数個の第一トリミング素子と、
第二トリミング素子を有し、複数個の前記第一抵抗群にそれぞれ並列接続する複数個のトリミング回路と、
を備えることを特徴とする可変抵抗回路。
【請求項２】
前記トリミング回路は、並列接続する複数個の前記第二トリミング素子を有することを特徴とする請求項１記載の可変抵抗回路。
【請求項３】
前記トリミング回路は、１個の前記第二トリミング素子を有することを特徴とする請求項１記載の可変抵抗回路。
【請求項４】
前記第一及び／または第二トリミング素子は、ヒューズであることを特徴とする請求項１記載の可変抵抗回路。
【請求項５】
前記第一及び／または第二トリミング素子は、ＭＯＳトランジスタであることを特徴とする請求項１記載の可変抵抗回路。
【発明の詳細な説明】
【技術分野】
【０００１】
本発明は、抵抗値を可変できる可変抵抗回路に関する。
【背景技術】
【０００２】
従来の可変抵抗回路について説明する。図４は、従来の可変抵抗回路を示す図である。
【０００３】
抵抗６１〜６８は端子Ａと端子Ｂとの間で直列接続する。ヒューズ７１〜７８は抵抗６１〜６８にそれぞれ並列接続する。所定のヒューズが切断されることにより、可変抵抗回路の抵抗値が変更する（例えば、特許文献１参照）。
【０００４】
また、図５に示すように、ヒューズ８１〜８８も抵抗６１〜６８にそれぞれ並列接続しても良い。すると、可変抵抗回路においてヒューズによる寄生抵抗が小さくなる。
【先行技術文献】
【特許文献】
【０００５】
【特許文献１】特開２００７−３１７９３３号公報
【発明の概要】
【発明が解決しようとする課題】
【０００６】
ここで、最近の半導体装置ではさらなる高精度化が進み、これに伴い、可変抵抗回路においてもさらなる高精度化が求められることがある。よって、可変抵抗回路においてヒューズによる寄生抵抗がより小さくなることが求められている。
【０００７】
本発明は、上記課題に鑑みてなされ、寄生抵抗をより小さくできる可変抵抗回路を提供する。
【課題を解決するための手段】
【０００８】
本発明は、上記課題を解決するため、抵抗値を可変できる可変抵抗回路において、第一抵抗群は直列接続する複数個の抵抗を有し、直列接続する複数個の前記第一抵抗群を有する第二抵抗群と、複数個の前記抵抗にそれぞれ並列接続する複数個の第一トリミング素子と、第二トリミング素子を有し、複数個の前記第一抵抗群にそれぞれ並列接続する複数個のトリミング回路と、を備えることを特徴とする可変抵抗回路を提供する。
【発明の効果】
【０００９】
本発明では、トリミング回路が抵抗でなくて直列接続する複数個の抵抗を有する第一抵抗群に並列接続するので、第一抵抗群に関するトリミング素子による寄生抵抗が小さくなる。よって、可変抵抗回路の抵抗値が正確になる。
【図面の簡単な説明】
【００１０】
【図１】可変抵抗回路を示す図である。
【図２】ボルテージレギュレータを示す図である。
【図３】可変抵抗回路を示す図である。
【図４】従来の可変抵抗回路を示す図である。
【図５】従来の可変抵抗回路を示す図である。
【発明を実施するための形態】
【００１１】
以下、本発明の実施形態を、図面を参照して説明する。
【００１２】
＜第一実施形態＞まず、可変抵抗回路の構成について説明する。図１は、可変抵抗回路を示す図である。
【００１３】
［要素］可変抵抗回路１０は、抵抗群３１、トリミング素子４１〜４８及びトリミング回路５１〜５４を備える。抵抗群３１は、抵抗群２１〜２４を有する。抵抗群２１は抵抗１１〜１２を有し、抵抗群２２は抵抗１３〜１４を有し、抵抗群２３は抵抗１５〜１６を有し、抵抗群２４は抵抗１７〜１８を有する。トリミング回路５１はトリミング素子５１ａ及びトリミング素子５１ｂを有し、トリミング回路５２はトリミング素子５２ａ及びトリミング素子５２ｂを有し、トリミング回路５３はトリミング素子５３ａ及びトリミング素子５３ｂを有し、トリミング回路５４はトリミング素子５４ａ及びトリミング素子５４ｂを有する。
【００１４】
［要素の接続関係］抵抗群２１〜２４は端子Ａと端子Ｂとの間で直列接続する。トリミング回路５１〜５４は抵抗群２１〜２４にそれぞれ並列接続する。抵抗１１〜１８は端子Ａと端子Ｂとの間で直列接続する。トリミング素子４１〜４８は抵抗１１〜１８にそれぞれ並列接続する。トリミング素子５１ａ及びトリミング素子５１ｂは抵抗群２１と並列接続し、トリミング素子５２ａ及びトリミング素子５２ｂは抵抗群２２と並列接続し、トリミング素子５３ａ及びトリミング素子５３ｂは抵抗群２３と並列接続し、トリミング素子５４ａ及びトリミング素子５４ｂは抵抗群２４と並列接続する。
【００１５】
［要素の機能］各トリミング素子は、例えば、ヒューズやＭＯＳトランジスタである。この時、所定のヒューズが切断されることにより、可変抵抗回路１０の抵抗値が変更する。また、所定のＭＯＳトランジスタがオン・オフすることにより、可変抵抗回路１０の抵抗値が変更する。
【００１６】
ここで、ヒューズは、通常ポリシリコンによって構成されるので、小さい抵抗を持つ。この抵抗は寄生抵抗であるとする。また、ＭＯＳトランジスタは、オンするとオン抵抗を持つ。このオン抵抗は寄生抵抗であるとする。
【００１７】
次に、可変抵抗回路１０の各トリミング素子による合計の寄生抵抗値Ｒｆｓｕｍ（端子Ａと端子Ｂとの間の各トリミング素子による合計の寄生抵抗値Ｒｆｓｕｍ）について説明する。
【００１８】
ここで、各抵抗の抵抗値はそれぞれＲであり、各トリミング素子の寄生抵抗値はそれぞれＲｆであるとする。また、可変抵抗回路１０は８個の抵抗１１〜１８を有し、これらの抵抗１１〜１８は３ビットで制御される。３ビットによるコードによって８個の抵抗１１〜１８の中から所定の抵抗が指定され、可変抵抗回路１０が指定された抵抗の抵抗値に基づいた抵抗値を持つ。以下、コードが“０００”〜“０１０”である時について説明する。
【００１９】
［コードが“０００”である時］８個の抵抗１１〜１８の中から抵抗が指定されず、全てのトリミング素子がそれぞれ導通になる。よって、合計の寄生抵抗値Ｒｆｓｕｍは
Ｒｆｓｕｍ
＝４・（２／５）・Ｒｆ
＝（８／５）・Ｒｆ・・・（１）
によって算出される。この時、可変抵抗回路１０の抵抗値Ｒｓｕｍは
Ｒｓｕｍ
≒Ｒｆｓｕｍ
≒（８／５）・Ｒｆ・・・（１ａ）
によって算出される。
【００２０】
［コードが“００１”である時］８個の抵抗１１〜１８の中から抵抗１１が指定され、トリミング素子５１ａとトリミング素子５１ｂとトリミング素子４１とがそれぞれ非導通になり、他の全てのトリミング素子がそれぞれ導通になる。よって、合計の寄生抵抗値Ｒｆｓｕｍは
Ｒｆｓｕｍ
＝Ｒｆ＋３・（２／５）・Ｒｆ
＝（１１／５）・Ｒｆ・・・（２）
によって算出される。この時、可変抵抗回路１０の抵抗値Ｒｓｕｍは
Ｒｓｕｍ
≒Ｒ＋Ｒｆｓｕｍ
≒Ｒ＋（１１／５）・Ｒｆ・・・（２ａ）
によって算出される。
【００２１】
［コードが“０１０”である時］８個の抵抗１１〜１８の中から抵抗１１〜１２がそれぞれ指定され、トリミング素子５１ａとトリミング素子５１ｂとトリミング素子４１〜４２とがそれぞれ非導通になり、他の全てのトリミング素子がそれぞれ導通になる。よって、合計の寄生抵抗値Ｒｆｓｕｍは
Ｒｆｓｕｍ
＝３・（２／５）・Ｒｆ
＝（６／５）・Ｒｆ・・・（３）
によって算出される。この時、可変抵抗回路１０の抵抗値Ｒｓｕｍは
Ｒｓｕｍ
≒２Ｒ＋Ｒｆｓｕｍ
≒２Ｒ＋（６／５）・Ｒｆ・・・（３ａ）
によって算出される。
【００２２】
［効果］このようにすると、トリミング回路５１が抵抗１１または抵抗１２でなくて直列接続する抵抗１１〜１２を有する抵抗群２１に並列接続するので、抵抗群２１に関するトリミング素子による寄生抵抗が小さくなる。よって、可変抵抗回路１０の抵抗値Ｒｓｕｍが正確になる。具体的には、抵抗群２１において、従来の技術（図５）では、４個のトリミング素子が設けられ、可変抵抗回路の４個のトリミング素子による合計の寄生抵抗値Ｒｆｓｕｍは抵抗値Ｒｆであるが、本発明では、４個のトリミング素子が設けられるが、可変抵抗回路１０の４個のトリミング素子による合計の寄生抵抗値Ｒｆｓｕｍは抵抗値｛（２／５）・Ｒｆ｝である。
【００２３】
また、抵抗群２１において、従来の技術（図５）では、４個のトリミング素子が設けられ、本発明でも、４個のトリミング素子が設けられる。よって、可変抵抗回路１０の面積は、変化せず、大きくならない。
【００２４】
［補足］なお、抵抗群３１に４個の抵抗群２１〜２４が設けられているが、これに限定されない。
【００２５】
また、抵抗群２１に２個の抵抗１１〜１８が直列に設けられているが、これに限定されない。抵抗群２２〜２４も同様である。
【００２６】
また、トリミング回路５１において、トリミング素子５１ａとトリミング素子５１ｂとが、並列接続しているが、他のトリミング素子（図示せず）とも並列接続しても良い。トリミング回路５２〜５４も同様である。
【００２７】
また、可変抵抗回路１０は、図２に示すように、例えば、ボルテージレギュレータに使用される。ここで、出力トランジスタ９１は、電源電圧ＶＤＤ及びアンプ９３の出力電圧に基づき、一定の出力電圧Ｖｏｕｔを出力する。可変抵抗回路１０及び分圧回路９２は、出力電圧Ｖｏｕｔを分圧し、分圧電圧Ｖｆｂを出力する。出力電圧Ｖｏｕｔが所定電圧よりも高いと、つまり、分圧電圧Ｖｆｂが基準電圧Ｖｒｅｆよりも高いと、アンプ９３はアンプ９３の出力電圧（出力トランジスタ９１のゲート電圧）が高くなるよう動作し、出力トランジスタ９１はオフしていき、出力電圧Ｖｏｕｔは低くなる。また、出力電圧Ｖｏｕｔが低いと、上記のように、出力電圧Ｖｏｕｔは高くなる。つまり、出力電圧Ｖｏｕｔが一定になる。
【００２８】
＜第二実施形態＞まず、可変抵抗回路の構成について説明する。図３は、可変抵抗回路を示す図である。
【００２９】
［要素］トリミング回路５１は、第一実施形態と比較すると、トリミング素子５１ａ及びトリミング素子５１ｂを削除され、トリミング素子５１ｃを追加される。トリミング回路５２は、第一実施形態と比較すると、トリミング素子５２ａ及びトリミング素子５２ｂを削除され、トリミング素子５２ｃを追加される。トリミング回路５３は、第一実施形態と比較すると、トリミング素子５３ａ及びトリミング素子５３ｂを削除され、トリミング素子５３ｃを追加される。トリミング回路５４は、第一実施形態と比較すると、トリミング素子５４ａ及びトリミング素子５４ｂを削除され、トリミング素子５４ｃを追加される。
【００３０】
［要素の接続関係］トリミング素子５１ｃは抵抗群２１と並列接続し、トリミング素子５２ｃは抵抗群２２と並列接続し、トリミング素子５３ｃは抵抗群２３と並列接続し、トリミング素子５４ｃは抵抗群２４と並列接続する。
【００３１】
次に、可変抵抗回路１０の各トリミング素子による合計の寄生抵抗値Ｒｆｓｕｍ（端子Ａと端子Ｂとの間の各トリミング素子による合計の寄生抵抗値Ｒｆｓｕｍ）について説明する。
【００３２】
［コードが“０００”である時］８個の抵抗１１〜１８の中から抵抗が指定されず、全てのトリミング素子がそれぞれ導通になる。よって、合計の寄生抵抗値Ｒｆｓｕｍは
Ｒｆｓｕｍ
＝４・（２／３）・Ｒｆ
＝（８／３）・Ｒｆ・・・（４）
によって算出される。この時、可変抵抗回路１０の抵抗値Ｒｓｕｍは
Ｒｓｕｍ
≒Ｒｆｓｕｍ
≒（８／３）・Ｒｆ・・・（４ａ）
によって算出される。
【００３３】
［コードが“００１”である時］８個の抵抗１１〜１８の中から抵抗１１が指定され、トリミング素子５１ｃとトリミング素子４１とがそれぞれ非導通になり、他の全てのトリミング素子がそれぞれ導通になる。よって、合計の寄生抵抗値Ｒｆｓｕｍは
Ｒｆｓｕｍ
＝Ｒｆ＋３・（２／３）・Ｒｆ
＝３Ｒｆ・・・（５）
によって算出される。この時、可変抵抗回路１０の抵抗値Ｒｓｕｍは
Ｒｓｕｍ
≒Ｒ＋Ｒｆｓｕｍ
≒Ｒ＋３Ｒｆ・・・（５ａ）
によって算出される。
【００３４】
［コードが“０１０”である時］８個の抵抗１１〜１８の中から抵抗１１〜１２がそれぞれ指定され、トリミング素子５１ｃとトリミング素子４１〜４２とがそれぞれ非導通になり、他の全てのトリミング素子がそれぞれ導通になる。よって、合計の寄生抵抗値Ｒｆｓｕｍは
Ｒｆｓｕｍ
＝３・（２／３）・Ｒｆ
＝２Ｒｆ・・・（６）
によって算出される。この時、可変抵抗回路１０の抵抗値Ｒｓｕｍは
Ｒｓｕｍ
≒２Ｒ＋Ｒｆｓｕｍ
≒２Ｒ＋２Ｒｆ・・・（６ａ）
によって算出される。
【００３５】
［効果］このようにすると、トリミング回路５１が抵抗１１または抵抗１２でなくて直列接続する抵抗１１〜１２を有する抵抗群２１に並列接続するので、抵抗群２１に関するトリミング素子による寄生抵抗が小さくなる。よって、可変抵抗回路１０の抵抗値Ｒｓｕｍが正確になる。具体的には、抵抗群２１において、従来の技術（図５）では、４個のトリミング素子が設けられ、可変抵抗回路の４個のトリミング素子による合計の寄生抵抗値Ｒｆｓｕｍは抵抗値Ｒｆであるが、本発明では、３個のトリミング素子が設けられ、可変抵抗回路１０の３個のトリミング素子による合計の寄生抵抗値Ｒｆｓｕｍは抵抗値｛（２／３）・Ｒｆ｝である。
【００３６】
また、抵抗群２１において、従来の技術（図５）では、４個のトリミング素子が設けられ、本発明では、３個のトリミング素子が設けられる。よって、可変抵抗回路１０の面積は、小さくなる。
【符号の説明】
【００３７】
１０  可変抵抗回路
１１〜１８  抵抗
２１〜２４、３１  抵抗群
４１〜４８  トリミング素子
５１ａ、５１ｂ  トリミング素子
５２ａ、５２ｂ  トリミング素子
５３ａ、５３ｂ  トリミング素子
５４ａ、５４ｂ  トリミング素子
５１〜５４  トリミング回路
Ａ、Ｂ  端子
【図１】
2010166109.tif 000003
【図２】
2010166109.tif 000004
【図３】
2010166109.tif 000005
【図４】
2010166109.tif 000006
【図５】
2010166109.tif 000007